(57)【要約】【課題】パネル面部に生じたへこみが、このパネル面部に隣接するコーナ面部に伝播するのを防ぐ。【解決手段】胴部１１と、この胴部１１のボトル軸線Ｏ方向下端に設けられた底部１２と、胴部１１の上端部に設けられた肩部１３と、この肩部１３の上端に設けられた口部１４とを備え、底部１２から肩部１３にわたった部分は、パネル面部１５とコーナ面部１６とが稜線１７をなしてボトル軸線Ｏ回りに交互に連設されてなる合成樹脂製の角型ボトル１０であって、コーナ面部１６において胴部１１と肩部１３との境界部分、および胴部１１と底部１２との境界部分の少なくとも一方には、凹部１８が形成されている。【選択図】図１
2007197019.tif 000002
【特許請求の範囲】
【請求項１】
胴部と、この胴部のボトル軸線方向下端に設けられた底部と、胴部の上端部に設けられた肩部と、この肩部の上端に設けられた口部とを備え、底部から肩部にわたった部分は、パネル面部とコーナ面部とが稜線をなしてボトル軸線回りに交互に連設された合成樹脂製の角型ボトルであって、
コーナ面部において胴部と肩部との境界部分、および胴部と底部との境界部分の少なくとも一方には、凹部が形成されていることを特徴とする角型ボトル。
【請求項２】
請求項１記載の角型ボトルにおいて、
前記凹部は、前記稜線が延びる方向に延在した縦溝を備えることを特徴とする角型ボトル。
【請求項３】
請求項１または２に記載の角型ボトルにおいて、
胴部と肩部との境界部分におけるコーナ面部は、この角型ボトルの内側に向けて肩部よりも小さく傾斜してボトル軸線方向に延在したテーパ面部とされていることを特徴とする角型ボトル。
【請求項４】
請求項３記載の角型ボトルにおいて、
前記凹部の外縁は、前記テーパ面部の外縁に沿って延びていることを特徴とする角型ボトル。
【請求項５】
請求項１から４のいずれかに記載の角型ボトルにおいて、
前記凹部は環状溝とされていることを特徴とする角型ボトル。
【発明の詳細な説明】
【技術分野】
【０００１】
本発明は、合成樹脂製の角型ボトルに関するものである。
【背景技術】
【０００２】
この種の角型ボトルとしては、例えば下記特許文献１および２に示されるように、胴部と、この胴部のボトル軸線方向下端に設けられた底部と、胴部の上端部に設けられた肩部と、この肩部の上端に設けられた口部とを備え、底部から肩部にわたった部分は、パネル面部とコーナ面部とが稜線をなしてボトル軸線回りに交互に連設された構成が知られている。
そして、このボトルは、一般に、内容物が充填される充填工程や、充填工程後の梱包工程、さらには梱包されたケース内において、複数本連立された状態で搬送されている。このような連立状態では、隣合うボトル同士で、胴部と肩部との境界部分や、胴部と底部との境界部分が互いに接触し合い、これらの各境界部分にボトルの内側に向けて圧縮力が作用することがある。
【特許文献１】特開２００５−８１５３号公報
【特許文献２】特開平８−３０１２５３号公報
【発明の開示】
【発明が解決しようとする課題】
【０００３】
ところが、この角型ボトルでは、パネル面部における前記境界部分に大きな圧縮力が作用すると、この圧縮力によってパネル面部が大きくへこみ、これに伴いこのパネル面部に連なる稜線も折り曲げられ、さらにこの稜線に連なるコーナ面部までもへこむことがある。この場合、前記の変形が弾性力によって復元せずへこんだ状態に維持され、この状態で店頭に並べられて需要者の購買意欲を喪失させるおそれがあった。なお、前記へこみがパネル面部内に留まれば、通常このへこみは弾性力により復元することになる。
【０００４】
本発明は、このような事情を考慮してなされたもので、パネル面部に生じたへこみが、このパネル面部に隣接するコーナ面部に伝播するのを防ぐことができる角型ボトルを提供することを目的とする。
【課題を解決するための手段】
【０００５】
上記課題を解決して、このような目的を達成するために、本発明の角型ボトルは、胴部と、この胴部のボトル軸線方向下端に設けられた底部と、胴部の上端部に設けられた肩部と、この肩部の上端に設けられた口部とを備え、底部から肩部にわたった部分は、パネル面部とコーナ面部とが稜線をなしてボトル軸線回りに交互に連設された合成樹脂製の角型ボトルであって、コーナ面部において胴部と肩部との境界部分、および胴部と底部との境界部分の少なくとも一方には、凹部が形成されていることを特徴とする。
【０００６】
この発明では、コーナ面部において前記各境界部分の少なくとも一方に、凹部が形成されているので、この境界部分における凹部と稜線との間の部分が、この稜線に連なるパネル面部に生ずる圧縮変形（へこみ）に対してリブとして作用することになる。したがって、パネル面部における前記各境界部分の少なくとも一方に大きな圧縮力が作用し、この部分が大きくへこんでも、この変形に伴って稜線が折り曲げられるのを防ぐことが可能になり、この変形をコーナ面部に伝播させずこのパネル面部内に留めることができる。
【０００７】
ここで、前記凹部は、前記稜線が延びる方向に延在した縦溝を備えてもよい。
この場合、凹部が縦溝を備えているので、前述した凹部と稜線との間の部分を、この境界部分における稜線が延びる方向の略全域にわたって前記リブとして作用させることが可能になり、前記の作用効果が確実に奏効されることになる。
【０００８】
また、胴部と肩部との境界部分におけるコーナ面部は、この角型ボトルの内側に向けて肩部よりも小さく傾斜してボトル軸線方向に延在したテーパ面部とされてもよい。
【０００９】
この場合、胴部と肩部とがテーパ面部を介して連結されることによって、胴部と肩部とでボトル軸線方向に対する傾斜角度が急激に変化するのを抑えることが可能になり、このボトルの座屈強度を向上させることができる。
【００１０】
さらに、前記凹部の外縁は、前記テーパ面部の外縁に沿って延びていてもよい。
この場合、前記テーパ面部における凹部と稜線との間の部分を前記リブとして作用させることが可能になることに加え、このテーパ面部自体の、ボトル内側に向けた圧縮力に対する剛性を向上させることが可能になる。したがって、前記稜線が折り曲げられるのを防ぐことが可能になることと相俟って、複数の角型ボトルが連立状態で搬送等され、隣合う角型ボトル同士で、前記各境界部分が互いに接触し合い、これらの各境界部分にボトルの内側に向けて大きな圧縮力が作用しても、この部分に永久変形が生ずるのを確実に防ぐことができる。
【００１１】
さらにまた、前記凹部は環状溝とされてもよい。
この場合、前記の作用効果が確実に奏効されることになる。
【発明の効果】
【００１２】
この発明に係る角型ボトルによれば、パネル面部に生じたへこみが、このパネル面部に隣接するコーナ面部に伝播するのを防ぐことができる。
【発明を実施するための最良の形態】
【００１３】
以下、図面を参照し、この発明の実施の形態について説明する。本実施形態に係る角型ボトル１０は、胴部１１と、この胴部１１のボトル軸線Ｏ方向下端に設けられた底部１２と、胴部１１の上端部に設けられた肩部１３と、この肩部１３の上端に設けられた口部１４とが、例えばポリエチレンテレフタレートやポリプロピレン等の合成樹脂により一体的に形成されている。なお、この角型ボトル１０は例えば２軸延伸ブロー成形により形成することができる。
【００１４】
そして、底部１２から肩部１３にわたった部分は、パネル面部１５と、このパネル面部１５の幅、つまりボトル軸線Ｏに直交する水平方向の大きさより幅の狭いコーナー面部１６とが稜線１７をなしてボトル軸線Ｏ回りに交互に連設されている。すなわち、このボトル１０は上面視および底面視が図３および図４に示されるような多角形状とされている。なお、図１から図４に示す斜線部分はパネル面部１５を示している。
【００１５】
本実施形態では、パネル面部１５およびコーナ面部１６はそれぞれ４つ備えられ、パネル面部１５は、第１パネル面部１５ａ、およびこの第１パネル面部１５ａより幅狭の第２パネル面部１５ｂをそれぞれ２つずつ備えている。そして、２つの第１パネル面部１５ａ、１５ａがボトル軸線Ｏを挟んで対向して配置されるとともに、２つの第２パネル面部１５ｂ、１５ｂもボトル軸線Ｏを挟んで対向して配置されている。なお、コーナー面部１６は４つとも全て、第２パネル面部１５ｂより幅の狭い同等の幅とされている。
【００１６】
ここで、胴部１１のボトル軸線Ｏ方向中央部には、その全周にわたって延在する環状凹リブ１１ａが形成されている。そして、胴部１１における前記各パネル面部１５には、環状凹リブ１１ａを挟んだボトル軸線Ｏ方向上部および下部にそれぞれ、前記水平方向に延びる複数の横リブ１５ｃがボトル軸線Ｏ方向に所定の間隔をあけて複数形成されている。
【００１７】
そして、本実施形態では、コーナ面部１６において胴部１１と肩部１３との境界部分は、この角型ボトル１０の内側に向けて肩部１３よりも小さく傾斜してボトル軸線Ｏ方向に延在した第１テーパ面部１６ａとされている。
また、コーナ面部１６において胴部１１と底部１２との境界部分は、この角型ボトル１０の接地面１２ａの外周縁からボトル軸線Ｏ方向上方に向かうに従い漸次拡径された第２テーパ面部１６ｂとされている。
【００１８】
そして、本実施形態では、第１テーパ面部１６ａおよび第２テーパ面部１６ｂのうち少なくとも一方に、角型ボトル１０の内側にへこむ凹部１８が形成されている。図示の例では、凹部１８は４つの第１テーパ面部１６ａ全てに形成されている。この凹部１８は、その外周縁が、第１テーパ面部１６ａの外縁に沿って延在するように、一本の溝が環状につながった環状溝とされている。また、この凹部１８の平面視は、図５に示されるように、第１テーパ面部１６ａの外形形状と略同形状とされ、かつこの第１テーパ面部１６ａの外縁よりも内側に配置されている。さらに、凹部１８は、稜線１７上には位置されておらず、第１テーパ面部１６ａにおける凹部１８と稜線１７との間は、これら１８、１７の間に隙間が設けられて平滑面部１６ｃとされている。
【００１９】
なお、本実施形態では、凹部１８は、その平面視が、前記水平方向に延びる２本の横溝１８ａと、ボトル軸線Ｏ方向に延びる２本の縦溝１８ｂとにより構成され、これら１８ａ、１８ｂが連続的につながった平面視矩形状の環状溝とされている。縦溝１８ｂ、１８ｂはそれぞれ、隣接する稜線１７が延びる方向に延在している。なお、凹部１８は、横溝１８ａおよび縦溝１８ｂの別を問わず、その全周にわたって略同じ幅、かつ略同じ深さとされて形成されている。
【００２０】
以上説明したように本実施形態に係る角型ボトル１０によれば、第１テーパ面部１６ａに凹部１８が形成されているので、第１テーパ面部１６ａにおける凹部１８と稜線１７との間の平滑面部１６ｃが、この稜線１７に連なるパネル面部１５に生ずる圧縮変形（へこみ）に対してリブとして作用することになる。したがって、パネル面部１５における肩部１３と胴部１１との境界部分に大きな圧縮力が作用し、この部分が大きくへこんでも、この変形に伴って稜線１７が折り曲げられるのを防ぐことが可能になり、この変形をコーナ面部１６に伝播させずこのパネル面部１５内に留めることができる。
【００２１】
また、凹部１８は、稜線１７が延びる方向に延在した縦溝１８ｂを備えているので、第１テーパ面部１６ａにおける凹部１８と稜線１７との間の平滑面部１６ｃを、この第１テーパ面部１６ａにおいて稜線１７が延びる方向の略全域にわたって前記リブとして作用させることが可能になり、前記の作用効果が確実に奏効されることになる。
【００２２】
さらに、コーナ面部１６において胴部１１と肩部１３との境界部分は、この角型ボトル１０の内側に向けて肩部１３よりも小さく傾斜してボトル軸線Ｏ方向に延在した第１テーパ面部１６ａとされ、この第１テーパ面部１６ａを介して胴部１１と肩部１３とが連結されているので、胴部１１と肩部１３とでボトル軸線Ｏに対する傾斜角度が急激に変化するのを抑えることが可能になり、このボトル１０の座屈強度を向上させることができる。
【００２３】
さらに、凹部１８は、第１テーパ面部１６ａの外縁に沿って延びる環状溝とされているので、第１テーパ面部１６ａにおける凹部１８と稜線１７との間の平滑面部１６ｃを前記リブとして作用させることが可能になることに加え、第１テーパ面部１６ａ自体の、ボトル１０の内側に向けた圧縮力に対する剛性を向上させることが可能になる。
したがって、前述のように稜線１７が折り曲げられるのを防ぐことが可能になることと相俟って、複数の角型ボトル１０が連立状態で搬送等され、隣合う角型ボトル１０同士で、胴部１１と肩部１３との境界部分にボトル１０の内側に向けて大きな圧縮力が作用しても、この部分に永久変形が生ずるのを確実に防ぐことができる。
【００２４】
なお、本発明の技術的範囲は前記実施の形態に限定されるものではなく、本発明の趣旨を逸脱しない範囲において種々の変更を加えることが可能である。
例えば、前記実施形態では、コーナ面部１６において、胴部１１と肩部１３との境界部分が第１テーパ面部１６ａとされ、胴部１１と底部１２との境界部分が第２テーパ面部１６ｂとされた構成を示したが、これに代えて、これらの第１、第２テーパ面部１６ａ、１６ｂを有さず、胴部１１と肩部１３とが連結されるとともに、胴部１１と底部１２とが連結されて、コーナ面部１６において胴部１１と肩部１３との境界部分、および胴部１１と底部１２との境界部分の少なくとも一方に凹部を形成するようにしてもよい。
【００２５】
また、前記実施形態では、第１テーパ面部１６ａにのみ凹部１８を形成したが、これに代えて、第２テーパ面部１６ｂにも凹部１８を形成してもよく、あるいは第２テーパ面部１６ｂにのみ凹部１８を形成してもよい。
さらに、前記実施形態では、凹部１８として前記環状溝を示したが、これに代えて、例えば、横溝１８ａおよび縦溝１８ｂに囲まれた部分を含めた全体をへこませるようにしてもよく、また、平面視矩形状の凹部１８を示したが、例えば平面視円形状若しくは楕円形状の凹部を採用してもよく、さらに、１つまたは複数の溝により凹部を形成してもよい。例えば、凹部として横溝１８ａおよび縦溝１８ｂのいずれか一方のみを形成してもよく、さらに、横溝１８ａまたは縦溝１８ｂのいずれか一方を１本のみ形成してもよく、さらにまた、これら１８ａ、１８ｂを１本ずつ形成するようにしてもよい。
【００２６】
また、前記実施形態では、凹部として、その外縁が第１テーパ面部１６ａの外縁に沿うような環状溝を示したが、これに代えて、第１テーパ面部１６ａにおいて、第１、第２パネル面部１５ａ、１５ｂのうち大きく圧縮変形し易い、幅の広い第１パネル面部１５ａ側の部分にのみ凹部を形成するようにしてもよい。
さらに、パネル面部１５およびコーナ面部１６の各個数は前記実施形態のものに限られるものではない。
また、前記実施形態では、凹部１８として、横溝１８ａおよび縦溝１８ｂの別を問わず、その全周にわたって略同じ幅、かつ略同じ深さとされた構成を示したが、これに代えて、例えば幅および深さの少なくとも一方を横溝１８ａと縦溝１８ｂとで異ならせるようにしてもよい。
【産業上の利用可能性】
【００２７】
パネル面部に生じたへこみが、このパネル面部に隣接するコーナ面部に伝播するのを防ぐことができる。
【図面の簡単な説明】
【００２８】
【図１】本発明に係る一実施形態として示した角型ボトルの正面図である。
【図２】図１に示す角型ボトルの側面図である。
【図３】図１に示す角型ボトルの上面図である。
【図４】図１に示す角型ボトルの底面図である。
【図５】図１に示す角型ボトルにおいて、第１テーパ面部の拡大平面図である。
【図６】図５のＡ−Ａ線矢視断面図である。
【符号の説明】
【００２９】
１０  角型ボトル
１１  胴部
１２  底部
１３  肩部
１４  口部
１５  パネル面部
１６  コーナ面部
１６ａ  第１テーパ面部（テーパ面部）
１７  稜線
１８  凹部
１８ｂ  縦溝
Ｏ  ボトル軸線
【図１】
2007197019.tif 000003
【図２】
2007197019.tif 000004
【図３】
2007197019.tif 000005
【図４】
2007197019.tif 000006
【図５】
2007197019.tif 000007
【図６】
2007197019.tif 000008